(57)【特許請求の範囲】
【請求項１】
ケーシングの前面略中央に回路の開閉操作をする操作ハンドルを配置し、該操作ハンドルの操作方向に隣接して上部及び下部の一方に電源側と接続する一次側接続端子、他方に負荷側と接続する二次側接続端子を設けた一次送り用回路遮断器であって、
前記ケーシングの前面側上下端部に段部を落とし込み形成し、ケーシング前面を背面より狭くし、一次側，二次側双方の接続端子を前記段部の対向する壁面の内側に形成したことを特徴とする一次送り用回路遮断器。
【請求項２】
ケーシングの上面或いは下面の少なくとも一方に、分電盤の銅バーを挿入可能な凹部を設けた請求項１記載の一次送り用回路遮断器。
【請求項３】
ケーシングの前面略中央に回路の開閉操作をする操作ハンドルを配置し、該操作ハンドルの操作方向となる上部及び下部の一方に電源側と接続する一次側接続端子、他方に負荷側と接続する二次側接続端子を設けた一次送り用回路遮断器であって、
前記ケーシングの上面或いは下面の少なくとも一方に分電盤の銅バーを挿入可能な挿入凹部を設け、その前方となる略前面上下端部に、前記一次側及び二次側の接続端子を形成したことを特徴とする一次送り用回路遮断器。
【発明の詳細な説明】
【０００１】
【発明の属する技術分野】
本発明は、主幹ブレーカを介さずに分岐配線するための一次送り用回路遮断器であって、詳しくは互換性型の小型回路遮断器サイズの一次送り用回路遮断器に関する。
【０００２】
【従来の技術】
主幹ブレーカを介さずに分岐配線する一次送り用回路遮断器は、主幹ブレーカが作動して回路を遮断しても送電が遮断されることがないため、非常用電源を確保する回路として利用されている。この場合、従来は通常の回路遮断器が用いられ、図５の分電盤内部の正面図に示すように一次送り用回路遮断器１２は主幹ブレーカ１１の２次側に接続される回路遮断器８に隣接して配置されたり、図６の分電盤内部の正面図に示すように分電盤内に一次送り専用のスペース１３を設けて、主幹ブレーカ１１の一次側から引き出して専用の主幹バー１４（１４ａ，１４ｂ，１４ｃ）を設け、その主幹バー１４に隣接して分岐回路を設けて配置されていた。
【０００３】
【発明が解決しようとする課題】
しかし、一次送り用回路遮断器は主幹ブレーカ１１の一次側から直接配線されるため、前者のように主幹ブレーカ１１を介した他の回路遮断器８に隣接して設置する場合は、分電盤内に配設されている主幹バー１０（１０ａ，１０ｂ，１０ｃ）等の充電部と接続しないので、主幹バー１０から伸びた分岐バー等の銅バーとの絶縁、及び設置スペースを確保するために、例えば図７（ａ），（ｂ）に示すように充電部基台の端部（斜線部）１５、及び図７（ｃ），（ｄ）の充電部である主幹バー１０の端部（斜線部）１０ｄ，１０ｅを切除する加工をしている。尚、図７（ａ），（ｂ）は分電盤充電部を示す説明図で（ａ）は切断前、（ｂ）は切断後を示している。また、（ｃ），（ｄ）は主幹バーのみを示している。
【０００４】
そのため、充電部の加工をするのに予め設置されている遮断器を一旦取り外さなければならないし、切除するのに特別の道具を必要とし、加工のために無駄な時間を費やすことになった。また、充電部の加工は、主幹バー１０の端部等、限られた場所でしか行えないため、多数の一次送り回路を設けなければならない場合には使用できなかった。更に、一次側接続作業も分電盤充電部が近接しているため、回路遮断器を外した状態で行わなければならなかった。
また、専用のスペースを設けた後者は、多数の一次送り回路を設けることが容易であるが、分岐回路を設けるため大きな分電盤を使用しなければならなかった。
【０００５】
そこで、本発明は上記問題点に鑑み、充電部を加工することなく、主幹ブレーカを介した他の回路遮断器と隣接設置が可能で、接続作業も容易な一次送り用回路遮断器を提供することを課題とする。
【０００６】
【課題を解決するための手段】
上記課題を解決するため、請求項１の発明は、ケーシングの前面略中央に回路の開閉操作をする操作ハンドルを配置し、該操作ハンドルの操作方向に隣接して上部及び下部の一方に電源側と接続する一次側接続端子、他方に負荷側と接続する二次側接続端子を設けた一次送り用回路遮断器であって、前記ケーシングの前面側上下端部に段部を落とし込み形成し、ケーシング前面を背面より狭くし、一次側，二次側双方の接続端子を前記段部の対向する壁面の内側に形成したことを特徴とする。
【０００７】
請求項２の発明は、請求項１の発明において、ケーシングの上面或いは下面の少なくとも一方に、分電盤側の銅バーを挿入可能な凹部を設けたことを特徴とする。
【０００８】
請求項３の発明は、ケーシングの前面略中央に回路の開閉操作をする操作ハンドルを配置し、該操作ハンドルの操作方向となる上部及び下部の一方に電源側と接続する一次側接続端子、他方に負荷側と接続する二次側接続端子を設けた一次送り用回路遮断器であって、前記ケーシングの上面或いは下面の少なくとも一方に分電盤の銅バーを挿入可能な挿入凹部を設け、その前方となる略前面上下端部に、前記一次側及び二次側の接続端子を形成したことを特徴とする。
【０００９】
【発明の実施の形態】
以下、本発明を具体化した実施の形態を、図面を基に詳細に説明する。図１（ａ）は本発明に係る一次送り用回路遮断器の１例を示し、２は一般的な小型回路遮断器の寸法である互換性寸法で形成されたケーシング、３は電源側に接続する一次側接続端子、４は負荷側に接続する二次側接続端子、６は回路の開閉操作をする操作ハンドルである。
【００１０】
ケーシング２は前面側上下端部に段部５が落とし込み形成され、背面２ｄに比べて前面２ａの上下方向が狭く形成されている。そして、操作ハンドル６はケーシング２の前面２ａの中央に設けられ、上下方向に回動操作して開閉操作をするよう形成され、一次側接続端子３及び二次側接続端子４は、双方の段部５の対向面に、ねじ止め式のアップ端子が左右２個づつ形成されている。
【００１１】
また、ケーシング２の上面２ｂ及び下面２ｃの各接続端子３，４に対応した位置には、図１（ｂ）の側面説明図に示すように、分電盤に設けられた銅バーである分岐バー９に対応する位置に凹部７が左右２ヶ所づつ設けられ、一次送り回路遮断器１を分電盤内の分岐回路形成位置に設置する際に、その凹部７に分岐バー９を挿入することで、分岐バー９を加工することなく設置可能となっている。
このように、段部を分岐バーより手前となる位置に形成すれば、ケーシングの上面及び下面に分岐バーの挿入部を形成することができ、一次送り開路遮断器の設置及び配線の接続をスムーズにまた安全に行うことができる。
【００１２】
この一次送り用回路遮断器を分電盤に設置する手順は、まず上面１ｂ或いは下面１ｃに形成した凹部７に分電盤の分岐バー９を挿入し、図２に示すように他の主幹ブレーカを介した回路遮断器８と同様に分岐回路形成位置に設置し、各接続端子３，４の配線接続作業をすればよい。
このように、接続端子を段部奥に設けたので、分電盤充電部から十分離れた位置に接続端子が配置され、回路遮断器を設置してからでも、主幹バー等の充電部に干渉することなく、容易に配線作業を行うことができる。また、分岐バーは凹部に挿入されて隠れるので、一次側配線と接触するようなこともない。
尚、図２は家庭用分電盤の内部を示し、１０ａ，１０ｂ，１０ｃは主幹バー、１１は主幹ブレーカである。
【００１３】
従って、一次送り回路遮断器を設置してからでも容易に配線作業をすることができ、分岐バー等の銅バーを加工をする必要が無いため、主幹バーの端部等に設置位置を限定されることがない。
また、分岐回路形成位置の任意位置に設置できるので個数も限定されることがなく、設置数が多くても一次送り専用の分岐回路を設ける必要がないし、専用スペースを設ける必要もない。
【００１４】
尚、接続端子の形状は、上述するようなアップ端子でなくとも良く、図３（ａ）に示すようなファストン端子としても良いし、図３（ｂ）に示すように速結端子としても良い。また、凹部は少なくとも一次側に形成すればよいし、形状は分岐バーが挿入される形状であれば良く、図３（ｃ）に示すように段部を下げてコ字状の溝を段部に形成しても良い。
また、接続端子の高さは必ずしも主幹バーより高くする必要はなく、例えば図４の説明図に示すように、端子を傾斜させて形成し、少なくとも接続線挿入位置が主幹バーより上方（手前）であれば、充電部と干渉することなく容易に且つ安全に接続作業ができる。
【００１５】
図８は本発明の第２の実施の形態を示し、段部を設けず一次側、二次側の各接続端子３，４を従来の位置から嵩上げして形成し、従来の端子位置に分電盤側の銅バーを挿入する凹部７を形成している。このように嵩上げするだけでも、一次送り配線等を接続することはできるし、凹部を有するので上記実施の形態と同様に分電盤の銅バーの加工をする必要がなく、専用の分岐回路を設ける事もない。そして、この場合、段部が無いのでケーシング内に部品設置空間を大きく採ることができ、従来の回路遮断器の内部構成を大きく変更することなく一次送り用回路遮断器を形成することができる。
【００１６】
【発明の効果】
以上詳述したように、請求項１の発明によれば、ケーシング上下端部に段部を落とし込み形成し、接続端子をその段部奥に形成したので、分電盤内に設置した際に、接続端子が主幹バーより離れた位置となり、一次送り配線の接続操作を容易に行うことができる。
【００１７】
請求項２の発明によれば、請求項１の発明の効果に加えて、分電盤の銅バーを凹部に挿入することで、充電部を加工すること無く主幹ブレーカを介した回路遮断器の設置位置に容易に設置できる。そのため、一次送り回路が多くても一次送り専用の分岐回路を設けなくて済み、分電盤を大きくする必要もなくなる。
【００１８】
請求項３の発明によれば、分電盤の銅バーの加工をする必要がないので、専用の分岐回路を設ける事無く、容易に設置することができる。また、ケーシング内に部品設置空間を大きく採ることができ、従来の回路遮断器の内部構成を大きく変更することなく形成することができる。
【図面の簡単な説明】
【図１】本発明の実施の形態の１例を示す一次送り用回路遮断器を示し、（ａ）は斜視図、（ｂ）は図１の接続端子の位置を示す説明図である。
【図２】図１の一次送り用回路遮断器を分電盤内に設置した様子を示す分電盤の内部正面図である。
【図３】図１の端子部の他の形状を示す一次送り用回路遮断器の斜視図である。
【図４】図１の端子部の他の形状を示す説明図である。
【図５】従来の一次送り用回路遮断器を設けた分電盤の内部正面図である。
【図６】従来の一次送り用回路遮断器を設けた分電盤の他の形態を示す内部正面図である。
【図７】図５において、分電盤充電部の加工の様子を示し、（ａ）は充電部基台の切断前、（ｂ）は切断後、（ｃ），（ｄ）は主幹バーの切断位置を示している。
【図８】本発明の第２の実施の形態を示す一次送り用回路遮断器の斜視図である。
【符号の説明】
１・・一次送り用回路遮断器、２・・ケーシング、２ａ・・ケーシングの前面、２ｂ・・ケーシングの上面、２ｃ・・ケーシングの底面、２ｄ・・ケーシングの背面、３・・一次側接続端子、４・・二次側接続端子、５・・段部、６・・操作ハンドル、７・・凹部。
【図１】
0004290827.tif 000002
【図２】
0004290827.tif 000003
【図３】
0004290827.tif 000004
【図４】
0004290827.tif 000005
【図５】
0004290827.tif 000006
【図６】
0004290827.tif 000007
【図７】
0004290827.tif 000008
【図８】
0004290827.tif 000009